(57)【要約】【課題】振動板と、振動板の一方の主面上に配された弦と、振動板の一方の主面と弦との間に配されて弦の振動を振動板に伝える伝達部と、を有する楽器において、振動板や伝達部の振動を高品位に検出する。【解決手段】振動板１２と、弦１７と、伝達部１４と、伝達部１４の内部に設けられる線状の圧電センサ４０と、を備え、伝達部１４が、振動板１２側の第一分割体１４Ａと、弦１７側の第二分割体１４Ｂと、に分割され、第二分割体１４Ｂに対向する第一分割体１４Ａの対向面１４ｃに、圧電センサ４０を伝達部１４の内部に挿通させる通路３０を構成する凹溝３１が形成され、第一分割体１４Ａ及び第二分割体１４Ｂの配列方向に関して、通路３０の寸法が圧電センサ４０の寸法よりも小さい楽器を提供する。【選択図】図３
2016080883.tif 000002
【特許請求の範囲】
【請求項１】
振動板と、前記振動板の一方の主面上に配された弦と、前記振動板の一方の主面と前記弦との間に配されて前記弦の振動を前記振動板に伝える伝達部と、前記伝達部の内部に設けられる線状の圧電センサと、を備え、
前記伝達部が、前記振動板側の第一分割体と、前記弦側の第二分割体と、に分割され、
相互に対向する前記第一分割体及び前記第二分割体の少なくとも一方の対向面に、前記圧電センサを前記伝達部の内部に挿通させる通路を構成する凹溝が形成され、
前記第一分割体及び前記第二分割体の配列方向に関して、前記通路の寸法が前記圧電センサの寸法よりも小さいことを特徴とする楽器。
【請求項２】
前記配列方向及び前記圧電センサの長手方向に直交する幅方向に関して、前記通路の寸法が前記圧電センサの寸法よりも大きいことを特徴とする請求項１に記載の楽器。
【請求項３】
前記凹溝が、前記第一分割体及び前記第二分割体の一方のみに形成されていることを特徴とする請求項１又は請求項２に記載の楽器。
【請求項４】
前記通路とこれに収容された前記圧電センサとの隙間に、充填剤が充填されていることを特徴とする請求項１から請求項３のいずれか一項に記載の楽器。
【請求項５】
前記第一分割体及び前記第二分割体が接着剤によって接着固定され、
前記充填剤が、前記接着剤であることを特徴とする請求項４に記載の楽器。
【発明の詳細な説明】
【技術分野】
【０００１】
本発明は、楽器に関する。
【背景技術】
【０００２】
弦を有するアコースティックの楽器においては、演奏により弦が振動し、その振動が伝達部を通じて振動板に伝達されることで音響が発生する。例えば、アコースティックピアノでは、弦の振動が駒を通じて響板に伝達されることで音響が発生する。
従来では、この種の楽器の演奏を電気信号に変換して外部に出力したり、記録したりするために、同軸ケーブル型のピエゾセンサ（線状の圧電センサ）を用いて振動板などの検出対象の振動を検出することが考えられている（例えば特許文献１参照）。特許文献１には、ギターにおいて伝達部として機能するサドル直下のブリッジ内に線状の圧電センサを設けることが開示されている。
【先行技術文献】
【特許文献】
【０００３】
【特許文献１】米国特許第６６７７５１４号明細書
【発明の概要】
【発明が解決しようとする課題】
【０００４】
ところで、この種の楽器において、振動板や伝達部は、弦の振動に伴って主に振動板の厚さ方向を主振動方向として振動する。このため、圧電センサによって振動板や伝達部の振動を高品位に検出するためには、主振動方向への振動を検知する圧電センサの感度を確保することが求められる。
【０００５】
本発明は、上述した事情に鑑みてなされたものであって、振動板や伝達部の主振動方向への振動を検知する圧電センサの感度を向上し、振動板や伝達部の振動を高品位に検出できる楽器を提供することを目的とする。
【課題を解決するための手段】
【０００６】
上記課題を解決するために、本発明の楽器は、振動板と、前記振動板の一方の主面上に配された弦と、前記振動板の一方の主面と前記弦との間に配されて前記弦の振動を前記振動板に伝える伝達部と、前記伝達部の内部に設けられる線状の圧電センサと、を備え、前記伝達部が、前記振動板側の第一分割体と、前記弦側の第二分割体と、に分割され、相互に対向する前記第一分割体及び前記第二分割体の少なくとも一方の対向面に、前記圧電センサを前記伝達部の内部に挿通させる通路を構成する凹溝が形成され、前記第一分割体及び前記第二分割体の配列方向に関して、前記通路の寸法が前記圧電センサの寸法よりも小さいことを特徴とする。
【０００７】
前記楽器においては、前記配列方向及び前記圧電センサの長手方向に直交する幅方向に関して、前記通路の寸法が前記圧電センサの寸法よりも大きくてもよい。
【０００８】
前記楽器においては、前記凹溝が、前記第一分割体及び前記第二分割体の一方のみに形成されていてもよい。
【０００９】
前記楽器においては、前記通路とこれに収容された前記圧電センサとの隙間に、充填剤が充填されてもよい。
【００１０】
前記楽器においては、前記第一分割体及び前記第二分割体が接着剤によって接着固定され、前記充填剤が、前記接着剤であってもよい。
【発明の効果】
【００１１】
本発明によれば、圧電センサを二つの分割体の間に挟み込み、これら二つの分割体を相互に固定することで、圧電センサは常に二つの分割体の配列方向、すなわち振動板の厚さ方向から圧縮応力を受ける状態となる。このため、圧電センサは、伝達部や振動板の主振動方向への振動に対して敏感に反応できる。すなわち、主振動方向の振動を検知する圧電センサの感度向上を図ることができる。したがって、振動板や伝達部の振動を高品位に検出できる。
【図面の簡単な説明】
【００１２】
【図１】本発明の一実施形態に係る楽器であるピアノの主要部を示す平面図である。
【図２】圧電センサの構成を示す斜視図である。
【図３】図１のピアノにおいて、圧電センサを内部に配した長駒と、その周辺構造を示す断面図である。
【図４】図１のピアノにおいて、圧電センサを内部に配した短駒及び短駒脚と、その周辺構造を示す断面図である。
【図５】長駒に対する圧電センサの取付方法の一例を示す図である。
【図６】圧電センサから出力される検出信号の流れの一例を示す図である。
【図７】長駒に形成される凹溝の第一変形例を示す断面図である。
【図８】長駒に形成される凹溝の第二変形例を示す断面図である。
【図９】短駒及び短駒脚に対する圧電センサの配置の変形例を示す断面図である。
【発明を実施するための形態】
【００１３】
以下、図１〜６を参照して本発明の一実施形態について説明する。本実施形態では、本発明の楽器として鍵盤楽器の一つであるピアノ１を例示する。
図１に示すように、この実施形態に係るピアノ１は、アコースティックピアノの一種であるグランドピアノである。図１においては、屋根、弦、鍵盤等の図示が省略されている。ピアノ１は、公知の基本構成であるフレーム１１、響板（振動板）１２、側板１３、長駒（伝達部）１４、短駒（伝達部）１５、複数の響棒１６などを備える。複数の響棒１６は、互いに平行するように響板１２の下面に固定される。
【００１４】
複数の弦１７（図３，４参照）は、響板１２の上面（一方の主面）１２ａ上に配され、フレーム１１において、ピッチピン及びチューニングピンによってアグラフ２１やベアリング（不図示）から長駒１４や短駒１５にかけて張設される。
長駒１４、短駒１５は、図３，４に示すように、響板１２の上面１２ａと弦１７との間に配される。長駒１４は、響板１２の上面１２ａに固定され、響板１２と弦１７との間に挟み込まれる。短駒１５は、長駒１４と同様に響板１２の上面１２ａに直接固定されてもよいが、本実施形態では連結部材１８及び短駒脚（伝達部）１９を介して響板１２に固定される。具体的には、短駒脚１９が響板１２の上面１２ａに固定され、短駒脚１９の上端に板状の連結部材１８の下面が固定される。そして、短駒１５は、連結部材１８の上面に固定され、連結部材１８の上面と弦１７との間に挟み込まれる。連結部材１８に対する短駒１５及び短駒脚１９の固定位置は、連結部材１８の上面や下面に沿う方向に互いにずれている。
【００１５】
弦１７は、演奏操作によりハンマに打撃されて振動する。弦１７の振動は、長駒１４を介して響板１２に伝わる。また、弦１７の振動は、短駒１５、連結部材１８、短駒脚１９を介して響板１２に伝わる。
図１に示すように、長駒１４、短駒１５、短駒脚１９は、響板１２の厚さ方向から見た平面視で帯状に形成される。また、短駒１５及び短駒脚１９の長さは長駒１４よりも短い。長駒１４、短駒１５、短駒脚１９は、いずれも高音側（演奏者から見て右側）に向かうにしたがって、演奏者から見て手前側に近づくように斜めに延在している。
【００１６】
ピアノ１は、線状の圧電センサ４０を備える。圧電センサ４０は、その長手方向に直交する方向から外力を受けた際に弾性的に変形可能である。本実施形態の圧電センサ４０は、図２に示すように、断面円形状とされた同軸ケーブル型のセンサであり、芯線４１と、芯線４１の外側を覆う圧電素子フィルム４２と、編み線からなり圧電素子フィルム４２をさらに外側から覆う外側導電層４３と、を備える。外側導電層４３の外側はポリエチレン製などの電気的な絶縁性を有する被覆部４４によって保護されている。
圧電素子フィルム４２は、ピエゾポリマー（圧電ポリマー）からなり、芯線４１と外側導電層４３との間で絶縁体として機能する。圧電センサ４０では、圧電素子フィルム４２が圧縮力や引張力を受けることで、その応力に比例した電荷を発生する。
【００１７】
圧電センサ４０は、図１，３，４に示すように、長駒１４、短駒１５、短駒脚１９の各内部に設けられる。各圧電センサ４０は、響板１２の厚さ方向から見て長駒１４、短駒１５、短駒脚１９と重なるように、長駒１４、短駒１５、短駒脚１９の延在方向に沿って配される。
【００１８】
次に、長駒１４に対する圧電センサ４０Ａの取付構造について説明する。
図３に示すように、長駒１４は、響板１２側の第一分割体１４Ａと、弦１７側の第二分割体１４Ｂとに分割されている。本実施形態において、第一分割体１４Ａ及び第二分割体１４Ｂは、長駒１４の駒土台を分割したものである。第一分割体１４Ａ及び第二分割体１４Ｂは、例えば長駒１４が響板１２及び弦１７によって挟み込まれることで固定されてもよいが、本実施形態では、接着剤（不図示）によって接着固定される。第二分割体１４Ｂに対向する第一分割体１４Ａの対向面１４ｃには、凹溝３１が形成されている。凹溝３１は、第一分割体１４Ａに対向する第二分割体１４Ｂの対向面１４ｄと共に、圧電センサ４０Ａを挿通させる通路３０を構成する。
【００１９】
二つの分割体１４Ａ，１４Ｂの配列方向（響板１２の厚さ方向；図３において上下方向）に関して、長駒１４の通路３０の寸法（以下、高さ寸法と呼ぶ。）は、通路３０内に配される前の状態における圧電センサ４０Ａの寸法よりも小さい。本実施形態では、凹溝３１が第一分割体１４Ａのみに形成されている。このため、凹溝３１の深さ寸法は、凹溝３１の深さ方向に関する圧電センサ４０Ａの寸法（高さ寸法）よりも小さい（図５（ｂ）参照）。また、本実施形態の圧電センサ４０Ａは断面円形状であるため、上記した通路３０の高さ寸法、凹溝３１の深さ寸法が、圧電センサ４０Ａの直径寸法よりも小さい。
【００２０】
また、二つの分割体１４Ａ，１４Ｂの配列方向及び圧電センサ４０Ａの長手方向に直交する幅方向（図３において左右方向）に関して、長駒１４の通路３０の寸法（以下、幅寸法と呼ぶ。）は、通路３０内に配される前の状態における圧電センサ４０Ａの寸法よりも大きい。本実施形態では、凹溝３１の幅寸法が凹溝３１の幅方向に関する圧電センサ４０Ａの寸法（幅寸法）よりも大きい（図５（ｂ）参照）。本実施形態の通路３０、凹溝３１は、その長手方向に直交する断面で矩形状に形成されている。
【００２１】
上記したように、長駒１４に形成される通路３０の高さ寸法及び幅寸法が設定されることで、二つの分割体１４Ａ，１４Ｂを固定した状態では、通路３０の高さ方向に関して圧電センサ４０Ａの寸法が小さくなるように、また、通路３０の幅方向に関して圧電センサ４０Ａの寸法が大きくなるように、通路３０内の圧電センサ４０Ａが弾性変形した状態となる。すなわち、圧電センサ４０Ａは、図５（ｂ）に示す断面円形状から図３，図５（ｃ）に示す断面楕円形状に弾性変形した状態となる。これにより、圧電センサ４０Ａは、常に通路３０の高さ方向、すなわち二つの分割体１４Ａ，１４Ｂの配列方向から圧縮応力を受ける状態となる。
【００２２】
さらに、長駒１４の通路３０と通路３０内に配された圧電センサ４０Ａとの隙間には、充填剤３５が充填されている。本実施形態の充填剤３５は、二つの分割体１４Ａ，１４Ｂを接着固定する接着剤である。
【００２３】
長駒１４に設けられる圧電センサ４０Ａは、例えば図１に示すように、複数のセンサ４０Ａ１，４０Ａ２に分けて構成されてもよい。センサ４０Ａ１，４０Ａ２の数は、図１のものに限らない。複数のセンサ４０Ａ１，４０Ａ２は、長駒１４の延在方向に配列されればよいが、長駒１４の延在方向に間隔をあけずに配列されることがより好ましい。複数のセンサ４０Ａ１，４０Ａ２は、例えば図１のように、隣り合うセンサ４０Ａ１，４０Ａ２の端部同士が重なるように配列されるとよい。
【００２４】
図４に示すように、短駒１５や短駒脚１９における圧電センサ４０Ｂ，４０Ｃの取付構造は、前述した長駒１４の場合と同様である。すなわち、短駒１５、短駒脚１９は、それぞれ響板１２側の第一分割体１５Ａ，１９Ａと弦１７側の第二分割体１５Ｂ，１９Ｂとに分割され、第一分割体１５Ａ，１９Ａと第二分割体１５Ｂ，１９Ｂとは、例えば接着剤によって接着固定される。また、第二分割体１５Ｂ，１９Ｂに対向する第一分割体１５Ａ，１９Ａの対向面のみに凹溝３１が形成され、凹溝３１及び第二分割体１５Ｂ，１９Ｂの対向面によって、圧電センサ４０Ｂ，４０Ｃを挿通させる通路３０が構成される。
【００２５】
短駒１５、短駒脚１９における通路３０、凹溝３１の形状や寸法も、前述した長駒１４の場合と同様である。このため、通路３０内の圧電センサ４０Ｂ，４０Ｃは、断面楕円形状に弾性変形した状態となり、常に通路３０の高さ方向、すなわち二つの分割体１５Ａ，１５Ｂ，１９Ａ，１９Ｂの配列方向から圧縮応力を受ける状態となる。
また、短駒１５、短駒脚１９の通路３０と、通路３０内に配された圧電センサ４０Ｂ，４０Ｃとの隙間にも、長駒１４の場合と同様の充填剤（不図示）が充填されている。
また、短駒１５、短駒脚１９に設けられる圧電センサ４０Ｂ，４０Ｃは、例えば長駒１４用の圧電センサ４０Ａと同様に、複数のセンサに分けて構成されてもよい。
【００２６】
次に、図５を参照して、長駒１４に対する圧電センサ４０Ａの取付方法の一例について説明する。短駒１５や短駒脚１９に対する圧電センサ４０Ｂ，４０Ｃの取付方法は、長駒１４と同様であるため、説明を省略する。
圧電センサ４０Ａを長駒１４に取り付ける際には、はじめに、図５（ａ）に示すように、長駒１４の第一分割体１４Ａの対向面１４ｃが上方に向くように、第一分割体１４Ａを配置する。次いで、接着剤（不図示）を第一分割体１４Ａの対向面１４ｃに塗布すると共に凹溝３１内に充填する。
その後、図５（ｂ）に示すように、圧電センサ４０Ａを第一分割体１４Ａの上方から凹溝３１に挿入する。この状態では、圧電センサ４０Ａの下側部分が凹溝３１内に入り込み、圧電センサ４０Ａの上側部分が第一分割体１４Ａの対向面１４ｃから突出している。また、圧電センサ４０Ａと凹溝３１の内面との隙間には接着剤が充填剤３５（図３参照）として充填されている。
【００２７】
最後に、図５（ｃ）に示すように、圧電センサ４０Ａを二つの分割体１４Ａ，１４Ｂの間に挟み込むように、第二分割体１４Ｂを第一分割体１４Ａの上方から押し付け、二つの分割体１４Ａ，１４Ｂの対向面１４ｃ，１４ｄが接触するように二つの分割体１４Ａ，１４Ｂを相互に固定することで、圧電センサ４０Ａの取り付けが完了する。本実施形態では、二つの分割体１４Ａ，１４Ｂが接着剤によって接着固定される。
二つの分割体１４Ａ，１４Ｂを固定する際には、二つの分割体１４Ａ，１４Ｂの配列方向に関して圧電センサ４０Ａの寸法が小さくなるように、圧電センサ４０Ａが弾性変形する。これにより、圧電センサ４０Ａは、常に二つの分割体１４Ａ，１４Ｂの配列方向から圧縮応力を受ける状態となる。また、上記固定の際には、凹溝３１の幅方向に関して圧電センサ４０Ａの寸法が大きくなるように、圧電センサ４０Ａが弾性変形する。
【００２８】
圧電センサ４０Ａを長駒１４に取り付けた後には、図３に示すように、長駒１４を接着等により響板１２の上面１２ａに固定する。この固定の際には、長駒１４の第一分割体１４Ａと第二分割体１４Ｂとが響板１２の上面１２ａから響板１２の厚さ方向に順番に配列されるようにする。
図４に示すように、短駒脚１９は、これに圧電センサ４０Ｃを取り付けた後、長駒１４と同様に響板１２の上面１２ａに固定すればよい。また、短駒１５は、これに圧電センサ４０Ｂを取り付けた後、短駒１５の第一分割体１５Ａと第二分割体１５Ｂとが響板１２の上面１２ａ上に順番に配列されるように、連結部材１８の上面に固定すればよい。
【００２９】
図３，４のように、長駒１４、短駒１５、短駒脚１９を響板１２に取り付けた構成では、弦１７の振動によって響板１２、長駒１４、短駒１５、短駒脚１９が変位、振動すると、各圧電センサ４０に作用する圧縮応力が変化する、すなわち圧電センサ４０が反応する。ここで、各圧電センサ４０は、二つの分割体１４Ａ，１４Ｂ（１５Ａ，１５Ｂ，１９Ａ，１９Ｂ）の配列方向、すなわち響板１２の厚さ方向から圧縮応力を受けている。このため、響板１２、長駒１４、短駒１５、短駒脚１９の響板１２の厚さ方向（主振動方向）への変位、振動に対し、より敏感に反応する。この圧電センサ４０の反応により、圧電センサ４０から検出信号が出力される。
【００３０】
圧電センサ４０から出力された検出信号は、例えば図６に示すように、音データとして記録部５１に記録されたり、音信号として外部に出力されたりする。記録部５１に記録された音データは、音響の再現等に利用される。複数の圧電センサ４０の検出信号は、例えば図６のようにミキサ５２において混合した上で外部に出力されてもよいが、例えば個別に出力されてもよい。また、複数の圧電センサ４０の検出信号は、例えば図６のように個別に記録部５１に出力されてもよいが、例えばミキサ５２において混合された上で記録部５１に出力されてもよい。また、検出信号は、例えば図６のようにアンプ５３において増幅された上で、記録されたり出力されたりしてもよい。アンプ５３は、例えば図６のように複数の圧電センサ４０から出力された検出信号を個別に増幅してもよいが、例えばミキサ５２において混合された後の信号を増幅してもよい。
また、複数の圧電センサ４０からの検出信号の一部を選択的に記録したり出力したりしてもよい。例えば、短駒１５及び短駒脚１９に設けた二つの圧電センサ４０Ｂ，４０Ｃは主に同じ音域の振動を検出するため、二つの圧電センサ４０Ｂ，４０Ｃのうち一方の検出信号だけを記録したり出力したりしてもよい。また、上記した二つの圧電センサ４０Ｂ，４０Ｃの一方は、例えば設けられなくてもよい。
【００３１】
以上説明したように、本実施形態のピアノ１によれば、長駒１４（短駒１５、短駒脚１９）の通路３０の高さ寸法が圧電センサ４０の寸法よりも小さいことで、圧電センサ４０は常に二つの分割体１４Ａ，１４Ｂ（１５Ａ，１５Ｂ，１９Ａ，１９Ｂ）の配列方向、すなわち響板１２の厚さ方向から圧縮応力を受ける状態となる。このため、圧電センサ４０は、響板１２、長駒１４（短駒１５、短駒脚１９）の主振動方向（響板１２の厚さ方向）への振動に対して敏感に反応できる。すなわち、主振動方向の振動を検知する圧電センサ４０の感度向上を図ることができる。したがって、響板１２、長駒１４（短駒１５、短駒脚１９）の振動を高品位に検出できる。
【００３２】
また、本実施形態のピアノ１によれば、通路３０の幅寸法が圧電センサ４０の寸法よりも大きいことで、圧電センサ４０を二つの分割体１４Ａ，１４Ｂ（１５Ａ，１５Ｂ，１９Ａ，１９Ｂ）によって挟み込む際に、圧電センサ４０の幅方向への変位が許容される。このため、圧電センサ４０を二つの分割体１４Ａ，１４Ｂ（１５Ａ，１５Ｂ，１９Ａ，１９Ｂ）によって挟み込む力を小さくして、圧電センサ４０を容易に挟み込むことができる。また、二つの分割体１４Ａ，１４Ｂ（１５Ａ，１５Ｂ，１９Ａ，１９Ｂ）を相互に押し付ける力を小さくすることで、分割体１４Ａ，１４Ｂ（１５Ａ，１５Ｂ，１９Ａ，１９Ｂ）への負荷を減らして分割体１４Ａ，１４Ｂ（１５Ａ，１５Ｂ，１９Ａ，１９Ｂ）に不具合が発生することを抑制できる。
【００３３】
また、本実施形態のピアノ１によれば、凹溝３１が第一分割体１４Ａ（１５Ａ，１９Ａ）のみに形成されている。このため、二つの分割体１４Ａ，１４Ｂ（１５Ａ，１５Ｂ，１９Ａ，１９Ｂ）を相互に固定する際に、第一分割体１４Ａ（１５Ａ，１９Ａ）の対向面１４ｃを上方に向けた状態で圧電センサ４０を凹溝３１に入れた後、第二分割体１４Ｂ（１５Ｂ，１９Ｂ）を単純に第一分割体１４Ａ（１５Ａ，１９Ａ）の上方から重ねるだけでよい。すなわち、第二分割体１４Ｂ（１５Ｂ，１９Ｂ）を重ねる際に、圧電センサ４０に対する第二分割体１４Ｂ（１５Ｂ，１９Ｂ）の位置決めが不要となる。したがって、圧電センサ４０を容易かつ効率よく長駒１４（短駒１５、短駒脚１９）に取り付けることができる。
【００３４】
また、本実施形態のピアノ１によれば、通路３０とこれに収容された圧電センサ４０との隙間に充填剤３５が充填されているため、弦１７の振動に基づいて長駒１４、短駒１５、短駒脚１９が振動した際に、圧電センサ４０が長駒１４、短駒１５、短駒脚１９に対して振動してしまうことを防止できる。このため、長駒１４、短駒１５、短駒脚１９に対する圧電センサ４０の振動がノイズとして圧電センサ４０から出力されることを防止できる。すなわち、精度の高い検出信号を圧電センサ４０から出力することが可能となる。
【００３５】
また、本実施形態のピアノ１によれば、充填剤３５が接着剤であるため、圧電センサ４０を長駒１４、短駒１５、短駒脚１９に取り付けるための工程数を減らすことができる。すなわち、圧電センサ４０を効率よく長駒１４、短駒１５、短駒脚１９に取り付けることが可能となる。
【００３６】
また、本実施形態のピアノ１によれば、長駒１４用の圧電センサ４０Ａが複数のセンサ４０Ａ１，４０Ａ２に分けて構成されているため、同じ長駒１４において音域ごとに適切な振動の検出が可能となる。また、圧電センサ４０Ａのうち隣り合うセンサ４０Ａ１，４０Ａ２の端部同士が重ねて配置されることで、圧電センサ４０Ａによって検出されない長駒１４の領域が生じることを防止できる。
【００３７】
以上、本発明について詳細に説明したが、本発明は上記実施形態に限定されるものではなく、本発明の趣旨を逸脱しない範囲において種々の変更を加えることが可能である。
【００３８】
凹溝３１の断面形状は、矩形状に限らず、任意の形状に形成されてよい。凹溝３１は、例えば図７に示すように、凹溝３１の内側面が凹溝３１の底面から上方開口に向かうにしたがって外側に傾斜する断面台形状に形成されてもよい。また、凹溝３１は、例えば図８に示すように、凹溝３１の底面と内側面との角部が丸みを帯びた形状に形成されてもよいし、例えば弾性変形した圧電センサ４０の断面楕円形状（図３，４等参照）に対応する断面円弧状に形成されてもよい。
【００３９】
また、凹溝３１は、例えば、第二分割体の対向面のみに形成されてもよいし、第一分割体及び第二分割体の両方の対向面に形成されてもよい。凹溝３１が第二分割体のみに形成される場合には、上記実施形態の場合と同様に、圧電センサ４０を容易かつ効率よく長駒１４、短駒１５、短駒脚１９に取り付けることができる。
【００４０】
また、凹溝３１の底面には、例えば凹溝３１よりも幅の小さい溝（小溝）が形成されてもよい。この場合、小溝の幅寸法や凹溝３１の底面における小溝の形成位置は、凹溝３１の底面が二つの分割体の配列方向に関する圧電センサ４０の圧縮に寄与する範囲であれば、任意に設定されてよい。また、小溝の深さ寸法は任意であってよい。
【００４１】
また、圧電センサ４０Ｂは、例えば図９に示すように、短駒１５と連結部材１８との間に設けられてもよい。この場合には、短駒１５及び連結部材１８によって第一伝達部６１が構成される。また、連結部材１８が第一伝達部６１の第一分割体として機能し、短駒１５が第一伝達部６１の第二分割体として機能する。圧電センサ４０Ｂを第一伝達部６１の内部に挿通させる通路３０を構成する凹溝３１は、例えば図９に示すように連結部材１８に対向する短駒１５の下面（対向面）に形成されてもよいが、これに限ることはない。
また、圧電センサ４０Ｃは、例えば図９に示すように、連結部材１８と短駒脚１９との間に設けられてもよい。この場合には、連結部材１８及び短駒脚１９によって第二伝達部６２が構成される。また、短駒脚１９が第二伝達部６２の第一分割体として機能し、連結部材１８が第二伝達部６２の第二分割体として機能する。圧電センサ４０Ｃを第二伝達部６２の内部に挿通させる通路３０を構成する凹溝３１は、例えば図９に示すように連結部材１８に対向する短駒脚１９の上面（対向面）に形成されてもよいが、これに限ることはない。
【００４２】
また、圧電センサ４０は、例えば帯状に形成されたリボンケーブル型のセンサであってもよい。
【００４３】
また、圧電センサ４０は、例えば長駒１４、短駒１５、短駒脚１９のいずれか一つあるいは二つのみに設けられてもよい。
また、例えば、同一の圧電センサ４０が長駒１４、短駒１５、短駒脚１９のうち二つあるいは三つにわたって引き回すように設けられてもよい。
【００４４】
また、本発明は、弦１７を有すると共に伝達部を介して弦１７の振動を振動板に伝える構成の楽器に適用可能であり、例えば、アップライトピアノ等の他の鍵盤楽器、アコースティックギター、バイオリン等の弦楽器などの各種楽器に適用可能である。
【符号の説明】
【００４５】
１…ピアノ（楽器）、１２…響板（振動板）、１２ａ…上面（一方の主面）、１４…長駒（伝達部）、１５…短駒、１７…弦、１８…連結部材、１９…短駒脚、１４Ａ，１５Ａ，１９Ａ…第一分割体、１４Ｂ，１５Ｂ，１９Ｂ…第二分割体、１４ｃ、１４ｄ…対向面、３０…通路、３１…凹溝、３５…充填剤、４０，４０Ａ，４０Ｂ，４０Ｃ…圧電センサ、６１…第一伝達部、６２…第二伝達部
【図１】
2016080883.tif 000003
【図２】
2016080883.tif 000004
【図３】
2016080883.tif 000005
【図４】
2016080883.tif 000006
【図５】
2016080883.tif 000007
【図６】
2016080883.tif 000008
【図７】
2016080883.tif 000009
【図８】
2016080883.tif 000010
【図９】
2016080883.tif 000011